(57)【要約】【課題】波状部分において外側に膨らむ張出部分がおむつの表面と肌との間に折り込まれるのを防止する。【解決手段】ウイング部分ＷＰの下縁７０，７５は、外に膨らむ山部を複数有する波状部分８０を有しており、サイドフラップ部ＳＦにおけるウイング部分ＷＰよりも幅方向中央側に、サイド弾性部材６４が設けられるとともに、このサイド弾性部材６４により前後方向ＬＤに収縮した平面ギャザーが設けられており、サイド弾性部材６４の収縮力が作用する前後方向範囲と、波状部分８０の前後方向範囲の少なくとも一部とが重なった重なり範囲７７を有しており、平面ギャザーの最大伸びは１５０〜３５０％であり、重なり範囲７７における、サイド弾性部材６４と波状部分８０との幅方向ＷＤ間隔は、最大が１５〜５０ｍｍで、かつ最小が５〜２０ｍｍである。【選択図】図７
2019170420.tif 000002
【特許請求の範囲】
【請求項１】
前後方向中央より前側に延びる腹側部分と、前後方向中央より後側に延びる背側部分と、両方の側縁が、前記腹側部分の前後方向の中間から前記背側部分の前後方向の中間まで延びる股間部と、を有し、
前記股間部を含む範囲に内蔵された吸収体を有し、
前記腹側部分及び前記背側部分は、前記股間部よりも幅方向外側に延び出たウイング部分を有し、
前記背側部分の両側部に、前記腹側部分とを着脱可能に連結するための連結テープを有する、
テープタイプ使い捨ておむつにおいて、
前記腹側部分の前記ウイング部分の下縁は、それぞれ、前方に向かうにつれて斜め外側に位置するように延びており、
前記背側部分の前記ウイング部分の下縁は、それぞれ、後方に向かうにつれて斜め外側に位置するように延びており、
前記腹側部分及び前記背側部分の少なくとも一方における前記ウイング部分の下縁は、外側に膨らむ山部を複数有する波状部分を有しており、
前記腹側部分から前記背側部分にかけての幅方向両側に、吸収体を有しないサイドフラップ部を有し、
前記サイドフラップ部における前記ウイング部分よりも幅方向中央側に、サイド弾性部材が設けられるとともに、このサイド弾性部材により前後方向に収縮した平面ギャザーが設けられており、
前記サイド弾性部材の収縮力が作用する前後方向範囲と、前記波状部分の前後方向範囲の少なくとも一部とが重なった重なり範囲を有しており、
前記平面ギャザーの最大伸びは１５０〜３５０％であり、
前記重なり範囲における、前記サイド弾性部材と前記波状部分との幅方向間隔は、最大が１５〜５０ｍｍで、かつ最小が５〜２０ｍｍである、
ことを特徴とするテープタイプ使い捨ておむつ。
【請求項２】
前記波状部分は、それぞれ全振幅の最大値が３〜１０ｍｍであり、波長が１０〜２０ｍｍである、
請求項１記載のテープタイプ使い捨ておむつ。
【請求項３】
前記波状部分は、前記股間部側に近づくにつれて全振幅が段階的又は連続的に大きくなっている、
請求項１又は２記載のテープタイプ使い捨ておむつ。
【請求項４】
前記股間部の両方の側縁は、前方に向かって１〜２度斜め内側に傾斜した方向に直線状又は変曲点を有しない曲線状に延びている、
請求項１〜３のいずれか１項に記載のテープタイプ使い捨ておむつ。
【発明の詳細な説明】
【技術分野】
【０００１】
本発明は、脚周りのフィット性を改善したテープタイプ使い捨ておむつに関するものである。
【背景技術】
【０００２】
使い捨ておむつには、主にテープタイプ、パンツタイプ、パッドタイプの三種類がある。このうち、テープタイプの使い捨ておむつは、展開状態で身体にあてがった後、背側部分の左右両側に設けられた連結部を腹側部分の外面に連結することにより装着を行うものである。
【０００３】
一般的なテープタイプ使い捨ておむつは、前後方向中央を含む股間部と、前後方向  中央より前側に延びる腹側部分と、前後方向中央より後側に延びる背側部分を有し、少なくとも背側部分は、股間部よりも幅方向左右両側に延び出たウイング部分を有し、腹側部分及び背側部分は左右のウイング部分の間に位置する中間部分を有し、ウイング部分は腹側部分の外面に着脱可能に連結される連結部を有している。使用時には、ウイング部分を腰の両側から腹側部分の外面に回して、ウイング部分の連結部を腹側部分の外面に連結する。このようなテープタイプ使い捨ておむつは、乳幼児向けとして用いられる他、介護用途（成人用途）でも使用されている。
【０００４】
従来、テープタイプ使い捨ておむつとしては、吸収体の側縁より側方に延び出たサイドフラップ部が脚周りに沿うように切除され、未切除の部分がウイング部分として残された一体型（例えば特許文献１〜３参照）のほか、中間部分を形成する本体の側縁に、別途製造された連結テープが取り付けられ、この連結テープがウイング部分となる別体型（例えば特許文献４、５参照）が知られている。また、別体型としては、中間部分を形成する本体に、左右のウイング部分を含むユニットを取り付けたものも提案されている（例えば特許文献６参照）。
【０００５】
しかしながら、従来のテープタイプ使い捨ておむつでは、装着者が大腿部を曲げたときに、大腿部の上部前面が腹側部分のウイング部分の下縁にきつく接触することがあった。特に、この種の製品は、一つのサイズで一定範囲の身体の大きさに対応することが一般的であるものの、適合範囲であってもその上限に近付くにつれて、装着者が大腿部を曲げたときに、大腿部の上部前面が腹側部分のウイング部分の下縁にきつく接触しやすいことが知見された。
【０００６】
本発明者は、このような問題点を解決するものとして、ウイング部分の下縁に波状部分を設ける技術について開発をする中で、脚の動きに起因して、波状部分において外側に膨らむ張出部分がおむつの表面と肌との間に折り込まれ、美観が損なわれるだけでなく、漏れや装着感が悪化するおそれがある、という問題に気付いた。
【先行技術文献】
【特許文献】
【０００７】
【特許文献１】特開２０１６−１７４８１６号公報
【特許文献２】特開２０１３−２１２２１３号公報
【特許文献３】特開２０１３−２１２２１０号公報
【特許文献４】特開２０１０−２２５５０号公報
【特許文献５】特開２０１０−１１９４６３号公報
【特許文献６】特開２０１１−７２７３６号公報
【発明の概要】
【発明が解決しようとする課題】
【０００８】
そこで、本発明の主たる課題は、波状部分において外側に膨らむ張出部分がおむつの表面と肌との間に折り込まれるのを防止すること等にある。
【課題を解決するための手段】
【０００９】
上記課題を解決したテープタイプ使い捨ておむつの各種態様は以下のとおりである。
＜第１の態様＞
前後方向中央より前側に延びる腹側部分と、前後方向中央より後側に延びる背側部分と、両方の側縁が、前記腹側部分の前後方向の中間から前記背側部分の前後方向の中間まで延びる股間部と、を有し、
前記股間部を含む範囲に内蔵された吸収体を有し、
前記腹側部分及び前記背側部分は、前記股間部よりも幅方向外側に延び出たウイング部分を有し、
前記背側部分の両側部に、前記腹側部分とを着脱可能に連結するための連結テープを有する、
テープタイプ使い捨ておむつにおいて、
前記腹側部分の前記ウイング部分の下縁は、それぞれ、前方に向かうにつれて斜め外側に位置するように延びており、
前記背側部分の前記ウイング部分の下縁は、それぞれ、後方に向かうにつれて斜め外側に位置するように延びており、
前記腹側部分及び前記背側部分の少なくとも一方における前記ウイング部分の下縁は、外側に膨らむ山部を複数有する波状部分を有しており、
前記腹側部分から前記背側部分にかけての幅方向両側に、吸収体を有しないサイドフラップ部を有し、
前記サイドフラップ部における前記ウイング部分よりも幅方向中央側に、サイド弾性部材が設けられるとともに、このサイド弾性部材により前後方向に収縮した平面ギャザーが設けられており、
前記サイド弾性部材の収縮力が作用する前後方向範囲と、前記波状部分の前後方向範囲の少なくとも一部とが重なった重なり範囲を有しており、
前記平面ギャザーの最大伸びは１５０〜３５０％であり、
前記重なり範囲における、前記サイド弾性部材と前記波状部分との幅方向間隔は、最大が１５〜５０ｍｍで、かつ最小が５〜２０ｍｍである、
ことを特徴とするテープタイプ使い捨ておむつ。
【００１０】
（作用効果）
本態様のようにサイド弾性部材と波状部分とに重なり範囲を設けるとともに、重なり範囲における波状部分とサイド弾性部材との距離、及び平面ギャザーの最大伸びが特定範囲内にあると、波状部分において外側に膨らむ張出部分がおむつの表面と肌との間に折り込まれにくくなる。また、波状部分に、厚み方向に緩やかに波打つ、美感に優れたフリルが形成される。特に、このようなフリルが波状部分の形状と組み合わさると、フリルの美感がさらに向上するという利点ももたらされる。これに対して、波状部分とサイド弾性部材との距離が近過ぎたり、平面ギャザーの最大伸びが大き過ぎたりすると、フリルの波が細かくなることによりフリルらしさが少なくなるだけでなく、肌触りが硬くなるおそれがある。また、波状部分とサイド弾性部材との距離が遠過ぎると、波状部分において外側に膨らむ張出部分がおむつの表面と肌との間に折り込まれ、漏れや装着感の悪化につながるおそれもある。一方、波状部分とサイド弾性部材との距離が遠過ぎたり、平面ギャザーの最大伸びが小さ過ぎたりすると、フリルの形成が不十分となるおそれがある。なお、最大伸びとは、伸縮方向の伸びの最大値（換言すれば平面ギャザーが収縮や弛み無く平坦に展開した展開状態の伸び）を意味し、展開状態の長さを自然長を１００％としたときの百分率で表したものである。
【００１１】
なお、波状部分は、波の方向が直線的であるか、曲線的であるか、及び全振幅（ピーク・ツー・ピーク）の中心線がどこを通過するか等を問わないものである。また、波状部分は、正弦曲線や円弧を組み合わせたもの、これらの振幅や波長が波が続く方向に変化するもの、雲形のように波の底部が尖っている（屈曲）しているもの等、規則的及び不規則な形状の両方を含む。
【００１２】
＜第２の態様＞
前記波状部分は、それぞれ全振幅の最大値が３〜１０ｍｍであり、波長が１０〜２０ｍｍである、
第１の態様のテープタイプ使い捨ておむつ。
【００１３】
（作用効果）
通常の場合、波状部分の寸法は本態様の範囲内とすることが好ましい。特に、波状部分の全振幅が大き過ぎると、張出部分がおむつの表面と肌との間に折り込まれ、漏れや装着感の悪化につながるおそれがある。
【００１４】
＜第３の態様＞
前記波状部分は、前記股間部側に近づくにつれて全振幅が段階的又は連続的に大きくなっている、
第１又は２の態様のテープタイプ使い捨ておむつ。
【００１５】
（作用効果）
ウイング部分の下縁は、前方に向かうにつれて斜め外側に位置するように延びているため、重なり範囲における波状部分とサイド弾性部材との幅方向間隔は股間部側に近づくにつれて短くなり、波状部分に形成されるフリルは細かくなる。ここで、波状部分の全振幅が小さいと、波状部分の形状が目立たなくなりやすい。これに対して、本態様のように、波状部分の全振幅が股間部側に近づくにつれて大きくなっていると、波状部分の形状が目立たちやすくなるため好ましい。
【００１６】
＜第４の態様＞
前記股間部の両方の側縁は、前方に向かって１〜２度斜め内側に傾斜した方向に直線状又は変曲点を有しない曲線状に延びている、
第１〜３のいずれか１つの態様のテープタイプ使い捨ておむつ。
【００１７】
（作用効果）
本態様のように、股間部の幅が前方に向かうにつれて狭くなると、大腿部が前方に移動しやすくなるため、大腿部を曲げたときの、大腿部の上部前面と腹側部分のウイング部分の下縁とのフィット性が、より良好となる。股間部は脚の動きの影響を受けやすい。このため、股間部の両方の側縁が波形状をなしていると、張出部分がおむつの表面と肌との間に折り込まれ、漏れや装着感の悪化につながるおそれがある。よって、股間部の両方の側縁は、ウイング部分の下縁と異なり、直線状をなしていることが好ましい。
【発明の効果】
【００１８】
本発明によれば、波状部分において外側に膨らむ張出部分がおむつの表面と肌との間に折り込まれるのを防止できる、等の利点がもたらされる。
【図面の簡単な説明】
【００１９】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】（ａ）図１の８−８線断面図、及び（ｂ）図１の９−９線断面図である。
【図６】図１の５−５線断面図である。
【図７】（ａ）腹側部分、及び（ｂ）背側部分の要部拡大平面図である。
【図８】（ａ）背側部分、及び（ｂ）腹側部分の要部拡大平面図である。
【図９】（ａ）背側部分、及び（ｂ）腹側部分の要部拡大平面図である。
【図１０】テープタイプ使い捨ておむつの外面を示す、おむつを展開した状態における平面図である。
【発明を実施するための形態】
【００２０】
図１〜図６はテープタイプ使い捨ておむつの一例を示しており、図中の符号Ｘは連結テープを除いたおむつの全幅を示しており、符号Ｌはおむつの全長を示しており、断面図における点模様部分はその表側及び裏側に位置する各構成部材を接合する接合手段としてのホットメルト接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２１】
このテープタイプ使い捨ておむつは、前後方向ＬＤの中央より前側に延びる腹側部分Ｆと、前後方向ＬＤの中央より後側に延びる背側部分Ｂとを有している。また、このテープタイプ使い捨ておむつは、股間部を含む範囲に内蔵された吸収体５６と、吸収体５６の表側を覆う液透過性のトップシート３０と、吸収体５６の裏側を覆う液不透過性シート１１と、液不透過性シートの裏側を覆い、製品外面を構成する外装不織布１２とを有するものである。
【００２２】
以下、各部の素材及び特徴部分について順に説明する。
（吸収体）
吸収体５６は、排泄液を吸収し、保持する部分であり、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。
【００２３】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００２４】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００２５】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００２６】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００２７】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００２８】
（包装シート）
高吸収性ポリマー粒子の抜け出しを防止するため、あるいは吸収体５６の形状維持性を高めるために、吸収体５６は包装シート５８で包んでなる吸収要素５０として内蔵させることができる。包装シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００２９】
この包装シート５８は、図３に示すように、一枚で吸収体５６の全体を包む構造とするほか、上下２枚等の複数枚のシートで吸収体５６の全体を包むようにしてもよい包装シート５８は省略することもできる。
【００３０】
（トップシート）
トップシート３０は液透過性を有するものであり、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３１】
トップシート３０は、前後方向では製品前端から後端まで延び、幅方向ＷＤでは吸収体５６よりも側方に延びているが、例えば後述する起き上がりギャザー６０の起点が吸収体５６の側縁よりも幅方向中央側に位置する場合等、必要に応じて、トップシート３０の幅を吸収体５６の全幅より短くする等、適宜の変形が可能である。
【００３２】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高め、吸収した液の吸収体からの「逆戻り」現象を防止するためのものである。中間シート４０は省略することもできる。
【００３３】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３４】
図示例の中間シート４０は、吸収体５６の幅より短く中央に配置されているが、全幅にわたって設けてもよい。また、中間シート４０は、おむつの全長にわたり設けてもよいが、図示例のように排泄位置を含む中間部分にのみ設けてもよい。
【００３５】
（液不透過性シート）
液不透過性シート１１は、特に限定されるものではないが、透湿性を有するもが好ましい。液不透過性シート１１としては、例えば、ポリエチレンやポリプロピレン等のオレフィン系樹脂中に無機充填剤を混練して、シートを成形した後、一軸又は二軸方向に延伸して得られた微多孔性シートを好適に用いることができる。また、液不透過性シート１１としては、不織布を基材として防水性を高めたものも用いることができる。
【００３６】
液不透過性シート１１は、前後方向ＬＤ及び幅方向ＷＤにおいて吸収体５６と同じか又はより広範囲にわたり延びていることが望ましいが、他の遮水手段が存在する場合等、必要に応じて、前後方向ＬＤ及び幅方向ＷＤにおいて吸収体５６の端部を覆わない構造とすることもできる。
【００３７】
（外装不織布）
外装不織布１２は液不透過性シート１１の裏側全体を覆い、製品外面を布のような外観とするものである。外装不織布１２としては特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００３８】
（起き上がりギャザー）
トップシート３０上を伝わって横方向に移動する排泄物を阻止し、いわゆる横漏れを防止するために、表面の幅方向ＷＤの両側には、装着者の肌側に立ち上がる起き上がりギャザー６０が設けられていると好ましい。もちろん、起き上がりギャザー６０は省略することもできる。
【００３９】
起き上がりギャザー６０を採用する場合、その構造は特に限定されず、公知のあらゆる構造を採用できる。図示例の起き上がりギャザー６０は、実質的に幅方向ＷＤに連続するギャザーシート６２と、このギャザーシート６２に前後方向ＬＤに沿って伸長状態で固定された細長状のギャザー弾性部材６３とにより構成されている。このギャザーシート６２としては撥水性不織布を用いることができ、またギャザー弾性部材６３としては糸ゴム等を用いることができる。弾性部材は、図１及び図２に示すように各複数本設ける他、各１本設けることができる。
【００４０】
ギャザーシート６２の内面は、トップシート３０の側部上に幅方向ＷＤの接合始端を有し、この接合始端から幅方向外側の部分は各サイドフラップ部ＳＦの内面、つまり図示例では液不透過性シート１１の側部及びその幅方向外側に位置する外装不織布１２の側部にホットメルト接着剤などにより接合されている。
【００４１】
脚周りにおいては、起き上がりギャザー６０の接合始端より幅方向内側は、製品前後方向両端部ではトップシート３０上に固定されているものの、その間の部分は非固定の自由部分であり、この自由部分が弾性部材６３の収縮力により立ち上がり、身体表面に密着するようになる。
【００４２】
（エンドフラップ部、サイドフラップ部）
図示例のテープタイプ使い捨ておむつは、吸収体５６の前側及び後側にそれぞれ延出する、吸収体５６を有しない一対のエンドフラップ部ＥＦと、吸収体５６の両方の側縁よりも側方にそれぞれ延出する、吸収体５６を有しない一対のサイドフラップ部ＳＦとを有している。サイドフラップ部ＳＦは、図示例のように、吸収体５６を有する部分から連続する素材（外装不織布１２等）からなるものであっても、他の素材を取り付けて形成してもよい。
【００４３】
（平面ギャザー）
各サイドフラップ部ＳＦには、糸ゴム等の細長状弾性部材からなるサイド弾性部材６４が前後方向ＬＤに沿って伸長された状態で固定されており、これにより各サイドフラップ部ＳＦの脚周り部分が平面ギャザーとして構成されている。脚周り弾性部材６４は、図示例のように、ギャザーシート６２の接合部分のうち接合始端近傍の幅方向外側において、ギャザーシート６２と液不透過性シート１１との間に設けるほか、サイドフラップ部ＳＦにおける液不透過性シート１１と外装不織布１２との間に設けることもできる。脚周り弾性部材６４は、図示例のように各側で複数本設ける他、各側に１本のみ設けることもできる。
【００４４】
平面ギャザーは、サイド弾性部材６４の収縮力が作用する部分（図中ではサイド弾性部材６４が図示された部分）である。よって、平面ギャザーの部位にのみサイド弾性部材６４が存在する形態の他、平面ギャザーよりも前側、後側又はその両側にわたりサイド弾性部材６４が存在しているが、平面ギャザーの部位以外ではサイド弾性部材が一か所又は多数個所で細かく切断されていたり、サイド弾性部材６４を挟むシートに固定されていなかったり、あるいはその両方であったりすることにより、平面ギャザー以外の部位に収縮力が作用せず（実質的には、弾性部材を設けないことに等しい）に、平面ギャザーの部位にのみサイド弾性部材６４の収縮力が作用する構造も含まれる。
【００４５】
（連結テープ）
背側部分Ｂにおけるサイドフラップ部ＳＦには、腹側部分Ｆの外面に対して着脱可能に連結される連結テープ１３がそれぞれ設けられている。おむつ１０の装着に際しては、連結テープ１３を腰の両側から腹側部分Ｆの外面に回して、連結テープ１３の連結部１３Ａを腹側部分Ｆ外面の適所に連結する。
【００４６】
連結テープ１３の構造は特に限定されないが、図示例では、サイドフラップ部ＳＦに固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する連結部１３Ａとを有し、この連結部１３Ａより先端側が摘み部となっている。
【００４７】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００４８】
また、テープ取付部１３Ｃからテープ本体部１３Ｂまでを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００４９】
（ターゲットシート）
腹側部分Ｆにおける連結テープ１３の連結箇所には、ターゲット部を設けることが好ましい。ターゲット部は、図示例のように、連結を容易にするためのターゲットシート２０を腹側部分Ｆの外面に貼り付けることにより設けることができる。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示例のように外装不織布１２を有する場合には、ターゲットシート２０を省略し、フック材を外装不織布１２の繊維に絡ませて連結することもできる。この場合、目印としてのターゲットシート２０を外装不織布１２と液不透過性シート１１との間に設ける他、外装不織布１２や液不透過性シート１１の外面に目印を印刷してもよい。
【００５０】
（ウイング部分）
本テープタイプ使い捨ておむつは、図１、図２及び図１０に示すように、腹側部分Ｆの前後方向ＬＤの中間から背側部分Ｂの前後方向ＬＤの中間まで延びる股間部Ｍを有している。股間部Ｍの両方の側縁は、前後方向ＬＤに対する鋭角側交差角θ0が±２度未満の方向を中心として、当該中心と直交する方向に±５ｍｍの幅の範囲を通る部分であると好ましい。また、腹側部分Ｆ及び背側部分Ｂは、股間部Ｍよりも幅方向ＷＤ外側に延び出たウイング部分ＷＰを有している。腹側部分Ｆのウイング部分の下縁７０は、股間部Ｍの側縁の前端から前方に向かうにつれて斜め外側に位置するように延びており、背側部分Ｂのウイング部分の下縁７５は、股間部Ｍの側縁の後端から後方に向かうにつれて斜め外側に位置するように延びている。ウイング部分ＷＰの側縁は図示例では直線状となっているが、これに限定されず、公知の他の形状を採用することもできる。股間部Ｍの前後方向ＬＤの寸法は適宜定めることができるが、股間部Ｍの最小幅ＭXの１．２〜１．４倍程度とすることができる。乳幼児用途の場合、股間部Ｍの前後方向ＬＤの寸法ＭYは１０〜３０ｃｍ程度である。
【００５１】
図７（ａ）及び図８（ｂ）に拡大して示すように、腹側部分Ｆのウイング部分ＷＰの下縁７０は、当該ウイング部分ＷＰの基端側に位置する第１部分７１と、当該ウイング部分ＷＰの先端側に位置する第２部分７２とを有している。第１部分７１の少なくとも両端部を除く範囲（好ましくは図示例のように全体）及び第２部分７２の少なくとも両端部を除く範囲（好ましくは図示例のように全体）は、それぞれ、内側に窪む谷部を複数有する波状部分８０となっていることが好ましい。第１部分７１の波状部分８０は、隣り合う谷部８３の両方に接する接線Ｄ１と前後方向ＬＤとのなす鈍角側交差角θ1が１６０〜１７５度（好ましくは１６３〜１７０度）であると好ましい。第２部分７２の波状部分８０は、隣り合う谷部８３の両方に接する接線Ｄ２と前後方向ＬＤとのなす鈍角側交差角θ2が１２０〜１５０度（好ましくは１３０〜１４０度）であると好ましい。
【００５２】
また、第１部分７１の前後方向ＬＤの寸法７１ｙは、股間部Ｍの前後方向ＬＤの寸法ＭYの０．１５〜０．３０倍（好ましくは０．２０〜０．２５倍）であると好ましい。一方、第２部分７２の前後方向ＬＤの寸法７２ｙは、股間部Ｍの前後方向ＬＤの寸法ＭYの０．１０〜０．２５倍（好ましくは０．１５〜０．２０倍）であると好ましい。
【００５３】
ここで、前述のように、波状部分８０は、波の方向が直線的であるか、曲線的であるか、及び全振幅（ピーク・ツー・ピーク）の中心線がどこを通過するか等を問わないものである。もちろん、波状部分８０は、図９に示す例のように、特定の方向８１を中心として一定の振幅８２（±５ｍｍ）で続くものを含むことはいうまでもない。また、波状部分８０は、正弦曲線（例えば図９（ａ）に示す波状部分８０）や円弧（例えば図９（ｂ）に示す波状部分８０）を組み合わせたもの、これらの振幅や波長が波が続く方向に変化するもの、雲形（例えば図９（ｃ）に示す波状部分８０）のように波の底部が尖っている（屈曲）しているもの等、規則的及び不規則な形状の両方を含む。肌触りをよくする観点から、波状部分８０は外側に膨らむ部分の形状が円弧などの丸みを帯びた形状であることが好ましい。図７及び図８に示す例の波状部分８０は円弧を互い違いにつなげて形成したものであり、この場合、円弧の半径は５〜１５ｍｍ程度であることが好ましい。
【００５４】
第１部分７１の波状部分８０と第２部分７２の波状部分８０とは波が連続していても、途切れていてもよい。第１部分７１の波状部分８０と第２部分７２の波状部分８０とが途切れている場合、第１部分７１から第２部分７２へ方向が変化する屈曲部や、腹側部分Ｆのウイング部分ＷＰの下縁７０の両端部は、図示例のように角が取られている形状の他、角がしっかりと残されている形状となっていてもよい。前者の場合、角が丸くとられていることが好ましく、特に角が半径２０〜８０ｍｍ程度の円弧状となっているのは好ましい。
【００５５】
腹側部分Ｆのウイング部分ＷＰの下縁７０における第１部分７１及び第２部分７２、股間部Ｍの側縁、並びに背側部分Ｂのウイング部分ＷＰの下縁７５は、一続きのおむつの側縁を形成する縁部である。各縁部の前後方向ＬＤ寸法に関して、隣り合う縁部の両方が波状部分８０となっている場合、一方の部分と他方の部分との境界は、一方の縁部における、最も他方側に位置する隣り合う谷部８３の両方に接する接線と、他方の縁部における、最も一方側に位置する隣り合う谷部８３の両方に接する接線とのなす内角の二等分線との交点とする。例えば、図８に示すように、第１部分７１及び第２部分７２の境界は、第１部分７１における、最も前側に位置する隣り合う谷部８３の両方に接する接線Ｄ１と、第２部分７２における、最も後側に位置する隣り合う谷部８３の両方に接する接線Ｄ２とのなす内角の二等分線Ｄ４との交点ＢＰとなる。
【００５６】
本テープタイプ使い捨ておむつの腹側部分Ｆでは、ウイング部分の下縁７０が、ウエスト側に向かい十分に深く切れ上がった基端側の第１部分７１を基本とし、そこから横に屈曲して、鼠径部に沿うように十分に延びる第２部分７２を有している。したがって、本テープタイプ使い捨ておむつでは、装着者が大腿部を大きく曲げたとしても、第１部分７１が深く切れ上がっているために、大腿部の上部前面がウイング部分の下縁７０にきつく当たりにくい。したがって、本テープタイプ使い捨ておむつでは、より広範囲の脚周り寸法において、大腿部を曲げたときの、大腿部の上部前面と腹側部分Ｆのウイング部分の下縁７０とのフィット性が良好となる。さらに、第１部分７１の少なくとも両端部を除く範囲及び第２部分７２の少なくとも両端部を除く範囲が波状部分８０となっていると、波状部分において外側に膨らむ張出部分７４（図８に点模様で示す部分）の折れ曲がり変形の度合いに応じて、ウイング部分ＷＰの下縁７０の位置が変化可能となる。そして、この張出部分７４は身体表面との接触により変形するため、張出部分７４の折れ曲がり変形の度合いは、身体寸法の違いや大腿部の曲げの程度等により決まる。つまり、張出部分７４が身体寸法の違いや大腿部の曲げの程度等に応じて変形し、身体表面にフィットする。特に大腿部を大きく曲げたときに、第１部分７１及び第２部分７２の張出部分７４が折れ曲がり、第１部分７１及び第２部分７２と大腿部との摩擦や当たりを軽減することができる。しかも、単にウイング部分ＷＰの下側のスペースが拡大するのではなく、張出部分７４により最大限広い範囲が被覆される。このため、身体寸法の違いや大腿部の曲げに対してフィットしやすい割には、脚周りからの漏れに対する不安を感じるおそれも少ないものとなる。これらの観点から、第１部分７１は張出部分７４を２〜５個程度有することが好ましい。また、第２部分７２は張出部分７４を２〜５個程度有することが好ましい。
【００５７】
第１部分７１の波状部分８０及び第２部分７２の波状部分８０の寸法は適宜定めることができるが、通常の場合、全振幅８２の最大値が３〜１０ｍｍであり、波長８５が１０〜２０ｍｍであることが好ましい。特に、波状部分８０の全振幅８２が大き過ぎると、張出部分７４がおむつの表面と肌との間に折り込まれ、漏れや装着感の悪化につながるおそれがある。
【００５８】
股間部Ｍの両方の側縁７３は、少なくとも両端部を除く範囲が図１０に示す例のようにウイング部分ＷＰの下縁７５と同様の波状部分８０となっていてもよい。しかし、股間部Ｍは脚の動きの影響を受けやすい。このため、股間部Ｍの両方の側縁７３が波状部分８０となっていると、張出部分７４がおむつの表面と肌との間に折り込まれ、漏れや装着感の悪化につながるおそれがある。よって、股間部Ｍの両方の側縁７３は、ウイング部分ＷＰの下縁７０と異なり、図２に示す例のように、前方に向かって１〜２度斜め内側に傾斜した方向に直線状（又は、前後方向ＬＤに対する鋭角側交差角θ0が±２度未満の方向を中心として、当該中心と直交する方向に±５ｍｍの幅の範囲を通るのであれば、変曲点を有しない曲線状でもよい）に延びていると好ましい。このように、股間部Ｍの幅が前方に向かうにつれて狭くなると、大腿部が前方に移動しやすくなるため、大腿部を曲げたときの、大腿部の上部前面と腹側部分Ｆのウイング部分の下縁７０とのフィット性が、より良好となる。
【００５９】
前述のような第１部分７１及び第２部分７２を有するウイング部分ＷＰは、それ以外の部分と別の部材により形成することもできる。しかし、図示例のようにサイドフラップ部ＳＦを有する構造において、サイドフラップ部ＳＦの側部における前後方向ＬＤ中間を切断することにより、股間部Ｍの側縁からウイング部分の下縁７０までの脚周り縁が形成されていると、製造が容易であるため好ましい。
【００６０】
また、図示例のように、サイドフラップ部ＳＦにおける腹側部分Ｆのウイング部分ＷＰよりも幅方向ＷＤ中央側に、サイド弾性部材６４が設けられるとともに、このサイド弾性部材６４により前後方向ＬＤに収縮した平面ギャザーが設けられており、サイド弾性部材６４の収縮力が作用する前後方向範囲（図示例ではサイド弾性部材６４を有する部分の前後方向ＬＤの範囲）が、第１部分７１の前後方向範囲の少なくとも一部（特に好ましくは全部）と重なった重なり範囲７７を有しており、自然長の状態で、第１部分７１はサイド弾性部材６４により収縮した部分を有していると好ましい。これにより、平面ギャザーとともに、第１部分７１を有する部分も前後方向ＬＤにある程度伸縮可能となるため、より広範囲の脚周り寸法において、大腿部を曲げたときの、大腿部の上部前面と腹側部分Ｆのウイング部分の下縁７０とのフィット性が良好となる。図示例と異なり、サイド弾性部材６４が第２部分７２の前後方向ＬＤ範囲の少なくとも一部（特に好ましくは全部）と重なる位置まで延びることにより、重なり範囲７７が第１部分７１の波状部分８０の全体にわたっていてもよい。
【００６１】
このような重なり範囲７７を有している場合、平面ギャザーの最大伸びは１５０〜３５０％（より好ましくは２００〜３００％）であり、重なり範囲７７における、サイド弾性部材６４と第１部分７１との幅方向間隔６４ｉ，６４ｊは、最大６４ｊが１５〜５０ｍｍ（より好ましくは１８〜２５ｍｍ）で、かつ最小６４ｉが５〜２０ｍｍ（より好ましくは１０〜１７ｍｍ）であると好ましい。第１部分７１とサイド弾性部材６４との距離、及び平面ギャザーの最大伸びが本範囲内であると、第１部分７１に、厚み方向に緩やかに波打つ、美感に優れたフリルが形成されるため好ましい。特に、このようなフリルが第１部分７１の形状と組み合わさると、フリルの美感がさらに向上するという利点ももたらされる。これに対して、第１部分７１とサイド弾性部材６４との距離が近過ぎたり、平面ギャザーの最大伸びが大き過ぎたりすると、フリルの波が細かくなることによりフリルらしさが少なくなるだけでなく、肌触りが硬くなるおそれがある。また、第１部分７１とサイド弾性部材６４との距離が遠過ぎると、張出部分７４がおむつの表面と肌との間に折り込まれ、漏れや装着感の悪化につながるおそれもある。一方、第１部分７１とサイド弾性部材６４との距離が遠過ぎたり、平面ギャザーの最大伸びが小さ過ぎたりすると、フリルの形成が不十分となるおそれがある。なお、最大伸びとは、前述のように、伸縮方向の伸びの最大値（換言すれば平面ギャザーが収縮や弛み無く平坦に展開した展開状態の伸び）を意味し、展開状態の長さを自然長を１００％としたときの百分率で表したものである。
【００６２】
他方、通常、大腿部の後方への曲げ角度は小さい。背側部分Ｂのウイング部分ＷＰは臀部を広く覆うことが好ましい。このため、背側部分Ｂのウイング部分ＷＰの下縁７５は、腹側部分Ｆのウイング部分ＷＰとは異なり、股間部Ｍの後端から大きく横に屈曲して延びる（前後非対称）ことが好ましい。また、腹側部分Ｆのウイング部分ＷＰと同様に、背側部分Ｂのウイング部分ＷＰの下縁７５における、少なくとも両端部を除く範囲（好ましくは図示例のように全体）が、内側に窪む谷部を複数有する波状部分８０となっていることが好ましい。具体的には、図７（ｂ）及び図８（ａ）に示すように、背側部分Ｂのウイング部分ＷＰの下縁７５における波状部分８０は、隣り合う谷部８３の両方に接する接線Ｄ３と前後方向とのなす鈍角側交差角θ3が１２０〜１５０度であり、背側部分Ｂのウイング部分ＷＰの下縁７５の前後方向ＬＤの寸法は、股間部Ｍの前後方向ＬＤの寸法ＭYの０．２〜０．３倍であると好ましい。
【００６３】
背側部分Ｂのウイング部分ＷＰの下縁７５も波状部分８０となっていることにより、腹側部分Ｆのウイング部分の下縁７０と同様の利点を有するものとなる。すなわち、背側部分Ｂにおいても、張出部分７４（波の幅に相当する部分）の折れ曲がり変形の度合いに応じて、ウイング部分の下縁７５の位置が変化可能となる。そして、この張出部分７４は身体表面との接触により変形するため、張出部分７４の折れ曲がり変形の度合いは、身体寸法の違いや大腿部の曲げの程度等により決まる。つまり、張出部分７４が身体寸法の違いや大腿部の曲げの程度等に応じて変形し、身体表面にフィットする。特に大腿部を大きく曲げたときに、張出部分７４が折れ曲がり、下縁７５と大腿部との摩擦や当たりを軽減することができる。しかも、単にウイング部分ＷＰの下側のスペースが拡大するのではなく、張出部分７４により最大限広い範囲が被覆される。このため、身体寸法の違いや大腿部の曲げに対してフィットしやすい割には、脚周りからの漏れに対する不安を感じるおそれも少ないものとなる。これらの観点から、背側部分Ｂのウイング部分ＷＰの下縁７５は張出部分７４を２〜５個程度有することが好ましい。背側部分Ｂのウイング部分ＷＰの下縁７５における波状部分８０の寸法は適宜定めることができるが、通常の場合、全振幅８２の最大値が３〜１０ｍｍであり、波長８５が１０〜２０ｍｍであることが好ましい。特に、波状部分８０の全振幅８２が大き過ぎると、張出部分７４がおむつの表面と肌との間に折り込まれ、漏れや装着感の悪化につながるおそれがある。
【００６４】
また、図示例のように、サイド弾性部材６４の収縮力が作用する前後方向範囲（図示例ではサイド弾性部材６４を有する部分の前後方向ＬＤの範囲）が、背側部分Ｂのウイング部分ＷＰの下縁７５の前後方向範囲の少なくとも一部（特に好ましくは全部）と重なった重なり範囲７７を有していると好ましい。この場合における、平面ギャザーの最大伸び、並びに重なり範囲７７における、背側部分Ｂのウイング部分ＷＰの下縁７５とサイド弾性部材６４との幅方向間隔６４ｉ，６４ｊは、前述の腹側部分の場合と同様である。このような構造による利点も、腹側部分Ｆの場合と基本的に同様である。
【００６５】
図示例では、腹側部分Ｆ及び背側部分Ｂの両方が前述の重なり範囲７７を有しているが、いずれか一方のみ重なり範囲７７を有しており、他方は重なり範囲７７を有しない、又は重なり範囲７７を有するものの、前述の間隔６４ｉ，６４ｊ等の条件を満たさないものとすることもできる。
【００６６】
さらに、前述の重なり範囲７７を有している場合、波状部分８０は、股間部Ｍ側に近づくにつれて全振幅が段階的又は連続的に大きくなっていると波状部分８０の形状が目立たちやすくなるため好ましい。ウイング部分ＷＰの下縁７０，７５は、前方に向かうにつれて斜め外側に位置するように延びているため、重なり範囲７７における波状部分８０とサイド弾性部材６４との幅方向ＷＤ間隔は股間部Ｍ側に近づくにつれて短くなり、波状部分８０に形成されるフリルは細かくなる。ここで、波状部分８０の全振幅が小さいと、波状部分８０の形状が目立たなくなりやすい。
【００６７】
＜その他＞
上記例では、腹側部分Ｆ及び背側部分Ｂの両方におけるウイング部分ＷＰの下縁７０，７５が波状部分８０を有しているが、いずれか一方のみ波状部分８０を有しており、他方は公知の他の形状とすることもできる。
【００６８】
上記例では、腹側部分Ｆのウイング部分ＷＰの下縁７０は、第１部分７１及び第２部分７２を有しているが、腹側部分Ｆのウイング部分ＷＰの下縁７０の形状や角度は特に限定されず、公知の他の形状とすることもできる。また、図示例の第２部分７２は山部（隣り合う谷部８３の間）を一つしか有していないが、第１部分７１の山部と合わせて複数有するものとなっている。このように、波状部分８０はウイング部分ＷＰの下縁７０，７５全体において外側に膨らむ山部を複数有していればよい。
【００６９】
＜明細書中の用語の説明＞
明細書中の以下の用語は、明細書中に特に記載が無い限り、以下の意味を有するものである。
・「前後方向」とは図中に符号ＬＤで示す方向（縦方向）を意味し、「幅方向」とは図中にＷＤで示す方向（左右方向）を意味し、前後方向と幅方向とは直交するものである。
【００７０】
・「曲線」とは、直線を含まない意味である。
【００７１】
・「展開状態」とは、収縮や弛み無く平坦に展開した状態を意味する。
【００７２】
・「伸長率」は、自然長を１００％としたときの値を意味する。例えば、伸長率が２００％とは、伸長倍率が２倍であることと同義である。
【００７３】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００７４】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００７５】
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
【００７６】
・「吸水量」は、ＪＩＳ  Ｋ７２２３−１９９６「高吸水性樹脂の吸水量試験方法」によって測定する。
【００７７】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００７８】
・試験や測定における環境条件についての記載が無い場合、その試験や測定は、標準状態（試験場所は、温度２３±１℃、相対湿度５０±２％）の試験室又は装置内で行うものとする。
【００７９】
・各部の寸法は、特に記載が無い限り、自然長状態ではなく展開状態における寸法を意味する。
【産業上の利用可能性】
【００８０】
本発明は、上記例のようなテープタイプ使い捨ておむつに適用できるものである。
【符号の説明】
【００８１】
１１…液不透過性シート、１２…外装不織布、１３…連結テープ、１３Ａ…連結部、１３Ｂ…テープ本体部、１３Ｃ…テープ取付部、２０…ターゲットシート、３０…トップシート、４０…中間シート、５０…吸収要素、５６…吸収体、５８…包装シート、６０…起き上がりギャザー、６２…ギャザーシート、６４…サイド弾性部材、７０，７５…下縁、７１…第１部分、７２…第２部分、７４…張出部分、７７…重なり範囲、８０…波状部分、８３…谷部、Ｂ…背側部分、Ｆ…腹側部分、ＬＤ…前後方向、Ｍ…股間部、ＳＦ…サイドフラップ部、ＷＤ…幅方向、ＷＰ…ウイング部分。
【図１】
2019170420.tif 000003
【図２】
2019170420.tif 000004
【図３】
2019170420.tif 000005
【図４】
2019170420.tif 000006
【図５】
2019170420.tif 000007
【図６】
2019170420.tif 000008
【図７】
2019170420.tif 000009
【図８】
2019170420.tif 000010
【図９】
2019170420.tif 000011
【図１０】
2019170420.tif 000012
【手続補正書】
【提出日】平成31年4月25日(2019.4.25)
【手続補正１】
【補正対象書類名】明細書
【補正対象項目名】全文
【補正方法】変更
【補正の内容】
【発明の詳細な説明】
【技術分野】
【０００１】
本発明は、脚周りのフィット性を改善したテープタイプ使い捨ておむつに関するものである。
【背景技術】
【０００２】
使い捨ておむつには、主にテープタイプ、パンツタイプ、パッドタイプの三種類がある。このうち、テープタイプの使い捨ておむつは、展開状態で身体にあてがった後、背側部分の左右両側に設けられた連結部を腹側部分の外面に連結することにより装着を行うものである。
【０００３】
一般的なテープタイプ使い捨ておむつは、前後方向中央を含む股間部と、前後方向  中央より前側に延びる腹側部分と、前後方向中央より後側に延びる背側部分を有し、少なくとも背側部分は、股間部よりも幅方向左右両側に延び出たウイング部分を有し、腹側部分及び背側部分は左右のウイング部分の間に位置する中間部分を有し、ウイング部分は腹側部分の外面に着脱可能に連結される連結部を有している。使用時には、ウイング部分を腰の両側から腹側部分の外面に回して、ウイング部分の連結部を腹側部分の外面に連結する。このようなテープタイプ使い捨ておむつは、乳幼児向けとして用いられる他、介護用途（成人用途）でも使用されている。
【０００４】
従来、テープタイプ使い捨ておむつとしては、吸収体の側縁より側方に延び出たサイドフラップ部が脚周りに沿うように切除され、未切除の部分がウイング部分として残された一体型（例えば特許文献１〜３参照）のほか、中間部分を形成する本体の側縁に、別途製造された連結テープが取り付けられ、この連結テープがウイング部分となる別体型（例えば特許文献４、５参照）が知られている。また、別体型としては、中間部分を形成する本体に、左右のウイング部分を含むユニットを取り付けたものも提案されている（例えば特許文献６参照）。
【０００５】
しかしながら、従来のテープタイプ使い捨ておむつでは、装着者が大腿部を曲げたときに、大腿部の上部前面が腹側部分のウイング部分の下縁にきつく接触することがあった。特に、この種の製品は、一つのサイズで一定範囲の身体の大きさに対応することが一般的であるものの、適合範囲であってもその上限に近付くにつれて、装着者が大腿部を曲げたときに、大腿部の上部前面が腹側部分のウイング部分の下縁にきつく接触しやすいことが知見された。
【０００６】
本発明者は、このような問題点を解決するものとして、ウイング部分の下縁に波状部分を設ける技術について開発をする中で、脚の動きに起因して、波状部分において外側に膨らむ張出部分がおむつの表面と肌との間に折り込まれ、美観が損なわれるだけでなく、漏れや装着感が悪化するおそれがある、という問題に気付いた。
【先行技術文献】
【特許文献】
【０００７】
【特許文献１】特開２０１６−１７４８１６号公報
【特許文献２】特開２０１３−２１２２１３号公報
【特許文献３】特開２０１３−２１２２１０号公報
【特許文献４】特開２０１０−２２５５０号公報
【特許文献５】特開２０１０−１１９４６３号公報
【特許文献６】特開２０１１−７２７３６号公報
【発明の概要】
【発明が解決しようとする課題】
【０００８】
そこで、本発明の主たる課題は、波状部分において外側に膨らむ張出部分がおむつの表面と肌との間に折り込まれるのを防止すること等にある。
【課題を解決するための手段】
【０００９】
上記課題を解決したテープタイプ使い捨ておむつの各種態様は以下のとおりである。
＜第１の態様＞
前後方向中央より前側に延びる腹側部分と、前後方向中央より後側に延びる背側部分と、前記腹側部分と前記背側部分との間の股間部と、を有し、
前記股間部を含む範囲に内蔵された吸収体を有し、
前記腹側部分及び前記背側部分は、その側縁が、前記股間部の側縁よりも幅方向外側に延び出たウイング部分を有し、
前記背側部分の両側部に、前記腹側部分とを着脱可能に連結するための連結テープを有する、
テープタイプ使い捨ておむつにおいて、
前記腹側部分の前記ウイング部分の下縁は、それぞれ、前方に向かうにつれて斜め外側に位置するように延びており、
前記背側部分の前記ウイング部分の下縁は、それぞれ、後方に向かうにつれて斜め外側に位置するように延びており、
前記腹側部分及び前記背側部分の少なくとも一方における前記ウイング部分の下縁は、外側に膨らむ山部を複数有する波状部分を有しており、
前記腹側部分から前記背側部分にかけての幅方向両側に、吸収体を有しないサイドフラップ部を有し、
前記サイドフラップ部における前記ウイング部分よりも幅方向中央側に、サイド弾性部材が前後方向に設けられるとともに、このサイド弾性部材により前後方向に収縮した平面ギャザーが形成されており、
前記サイド弾性部材の収縮力が作用する前後方向範囲と、前記波状部分の前後方向範囲の少なくとも一部とが重なった重なり範囲を有しており、
前記平面ギャザーの最大伸びは１５０〜３５０％であり、
前記重なり範囲における、前記サイド弾性部材と前記波状部分との幅方向間隔は、最大が１８〜２５ｍｍで、かつ最小が１０〜１７ｍｍであり、
前記波状部分は、それぞれ全振幅の最大値が３〜１０ｍｍであり、波長が１０〜２０ｍｍであり、
前記股間部の側縁は前後方向に直線状に延びている、
ことを特徴とするテープタイプ使い捨ておむつ。
【００１０】
（作用効果）
本態様のようにサイド弾性部材と波状部分とに重なり範囲を設けるとともに、重なり範囲における波状部分とサイド弾性部材との距離、及び平面ギャザーの最大伸びが特定範囲内にあると、波状部分において外側に膨らむ張出部分がおむつの表面と肌との間に折り込まれにくくなる。また、波状部分に、厚み方向に緩やかに波打つ、美感に優れたフリルが形成される。特に、このようなフリルが波状部分の形状と組み合わさると、フリルの美感がさらに向上するという利点ももたらされる。これに対して、波状部分とサイド弾性部材との距離が近過ぎたり、平面ギャザーの最大伸びが大き過ぎたりすると、フリルの波が細かくなることによりフリルらしさが少なくなるだけでなく、肌触りが硬くなるおそれがある。また、波状部分とサイド弾性部材との距離が遠過ぎると、波状部分において外側に膨らむ張出部分がおむつの表面と肌との間に折り込まれ、漏れや装着感の悪化につながるおそれもある。一方、波状部分とサイド弾性部材との距離が遠過ぎたり、平面ギャザーの最大伸びが小さ過ぎたりすると、フリルの形成が不十分となるおそれがある。なお、最大伸びとは、伸縮方向の伸びの最大値（換言すれば平面ギャザーが収縮や弛み無く平坦に展開した展開状態の伸び）を意味し、展開状態の長さを自然長を１００％としたときの百分率で表したものである。
【００１１】
なお、波状部分は、波の方向が直線的であるか、曲線的であるか、及び全振幅（ピーク・ツー・ピーク）の中心線がどこを通過するか等を問わないものである。また、波状部分は、正弦曲線や円弧を組み合わせたもの、これらの振幅や波長が波が続く方向に変化するもの、雲形のように波の底部が尖っている（屈曲）しているもの等、規則的及び不規則な形状の両方を含む。
【００１２】
【００１３】
通常の場合、波状部分の寸法は本態様の範囲内とすることが好ましい。特に、波状部分の全振幅が大き過ぎると、張出部分がおむつの表面と肌との間に折り込まれ、漏れや装着感の悪化につながるおそれがある。
【００１４】
＜他の態様＞
前記波状部分は、前記股間部側に近づくにつれて全振幅が段階的又は連続的に大きくなっているテープタイプ使い捨ておむつ。
【００１５】
（作用効果）
ウイング部分の下縁は、前方に向かうにつれて斜め外側に位置するように延びているため、重なり範囲における波状部分とサイド弾性部材との幅方向間隔は股間部側に近づくにつれて短くなり、波状部分に形成されるフリルは細かくなる。ここで、波状部分の全振幅が小さいと、波状部分の形状が目立たなくなりやすい。これに対して、本態様のように、波状部分の全振幅が股間部側に近づくにつれて大きくなっていると、波状部分の形状が目立たちやすくなるため好ましい。
【００１６】
＜別の態様＞
前記股間部の両方の側縁は、前方に向かって１〜２度斜め内側に傾斜した方向に直線状に延びている、テープタイプ使い捨ておむつ。
【００１７】
（作用効果）
本態様のように、股間部の幅が前方に向かうにつれて狭くなると、大腿部が前方に移動しやすくなるため、大腿部を曲げたときの、大腿部の上部前面と腹側部分のウイング部分の下縁とのフィット性が、より良好となる。股間部は脚の動きの影響を受けやすい。このため、股間部の両方の側縁が波形状をなしていると、張出部分がおむつの表面と肌との間に折り込まれ、漏れや装着感の悪化につながるおそれがある。よって、股間部の両方の側縁は、ウイング部分の下縁と異なり、直線状をなしていることが好ましい。
【発明の効果】
【００１８】
本発明によれば、波状部分において外側に膨らむ張出部分がおむつの表面と肌との間に折り込まれるのを防止できる、等の利点がもたらされる。
【図面の簡単な説明】
【００１９】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】（ａ）図１の８−８線断面図、及び（ｂ）図１の９−９線断面図である。
【図６】図１の５−５線断面図である。
【図７】（ａ）腹側部分、及び（ｂ）背側部分の要部拡大平面図である。
【図８】（ａ）背側部分、及び（ｂ）腹側部分の要部拡大平面図である。
【図９】（ａ）背側部分、及び（ｂ）腹側部分の要部拡大平面図である。
【図１０】テープタイプ使い捨ておむつの外面を示す、おむつを展開した状態における平面図である。
【発明を実施するための形態】
【００２０】
図１〜図６はテープタイプ使い捨ておむつの一例を示しており、図中の符号Ｘは連結テープを除いたおむつの全幅を示しており、符号Ｌはおむつの全長を示しており、断面図における点模様部分はその表側及び裏側に位置する各構成部材を接合する接合手段としてのホットメルト接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２１】
このテープタイプ使い捨ておむつは、前後方向ＬＤの中央より前側に延びる腹側部分Ｆと、前後方向ＬＤの中央より後側に延びる背側部分Ｂとを有している。また、このテープタイプ使い捨ておむつは、股間部を含む範囲に内蔵された吸収体５６と、吸収体５６の表側を覆う液透過性のトップシート３０と、吸収体５６の裏側を覆う液不透過性シート１１と、液不透過性シートの裏側を覆い、製品外面を構成する外装不織布１２とを有するものである。
【００２２】
以下、各部の素材及び特徴部分について順に説明する。
（吸収体）
吸収体５６は、排泄液を吸収し、保持する部分であり、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。
【００２３】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００２４】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００２５】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００２６】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００２７】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００２８】
（包装シート）
高吸収性ポリマー粒子の抜け出しを防止するため、あるいは吸収体５６の形状維持性を高めるために、吸収体５６は包装シート５８で包んでなる吸収要素５０として内蔵させることができる。包装シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００２９】
この包装シート５８は、図３に示すように、一枚で吸収体５６の全体を包む構造とするほか、上下２枚等の複数枚のシートで吸収体５６の全体を包むようにしてもよい包装シート５８は省略することもできる。
【００３０】
（トップシート）
トップシート３０は液透過性を有するものであり、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３１】
トップシート３０は、前後方向では製品前端から後端まで延び、幅方向ＷＤでは吸収体５６よりも側方に延びているが、例えば後述する起き上がりギャザー６０の起点が吸収体５６の側縁よりも幅方向中央側に位置する場合等、必要に応じて、トップシート３０の幅を吸収体５６の全幅より短くする等、適宜の変形が可能である。
【００３２】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高め、吸収した液の吸収体からの「逆戻り」現象を防止するためのものである。中間シート４０は省略することもできる。
【００３３】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３４】
図示例の中間シート４０は、吸収体５６の幅より短く中央に配置されているが、全幅にわたって設けてもよい。また、中間シート４０は、おむつの全長にわたり設けてもよいが、図示例のように排泄位置を含む中間部分にのみ設けてもよい。
【００３５】
（液不透過性シート）
液不透過性シート１１は、特に限定されるものではないが、透湿性を有するもが好ましい。液不透過性シート１１としては、例えば、ポリエチレンやポリプロピレン等のオレフィン系樹脂中に無機充填剤を混練して、シートを成形した後、一軸又は二軸方向に延伸して得られた微多孔性シートを好適に用いることができる。また、液不透過性シート１１としては、不織布を基材として防水性を高めたものも用いることができる。
【００３６】
液不透過性シート１１は、前後方向ＬＤ及び幅方向ＷＤにおいて吸収体５６と同じか又はより広範囲にわたり延びていることが望ましいが、他の遮水手段が存在する場合等、必要に応じて、前後方向ＬＤ及び幅方向ＷＤにおいて吸収体５６の端部を覆わない構造とすることもできる。
【００３７】
（外装不織布）
外装不織布１２は液不透過性シート１１の裏側全体を覆い、製品外面を布のような外観とするものである。外装不織布１２としては特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００３８】
（起き上がりギャザー）
トップシート３０上を伝わって横方向に移動する排泄物を阻止し、いわゆる横漏れを防止するために、表面の幅方向ＷＤの両側には、装着者の肌側に立ち上がる起き上がりギャザー６０が設けられていると好ましい。もちろん、起き上がりギャザー６０は省略することもできる。
【００３９】
起き上がりギャザー６０を採用する場合、その構造は特に限定されず、公知のあらゆる構造を採用できる。図示例の起き上がりギャザー６０は、実質的に幅方向ＷＤに連続するギャザーシート６２と、このギャザーシート６２に前後方向ＬＤに沿って伸長状態で固定された細長状のギャザー弾性部材６３とにより構成されている。このギャザーシート６２としては撥水性不織布を用いることができ、またギャザー弾性部材６３としては糸ゴム等を用いることができる。弾性部材は、図１及び図２に示すように各複数本設ける他、各１本設けることができる。
【００４０】
ギャザーシート６２の内面は、トップシート３０の側部上に幅方向ＷＤの接合始端を有し、この接合始端から幅方向外側の部分は各サイドフラップ部ＳＦの内面、つまり図示例では液不透過性シート１１の側部及びその幅方向外側に位置する外装不織布１２の側部にホットメルト接着剤などにより接合されている。
【００４１】
脚周りにおいては、起き上がりギャザー６０の接合始端より幅方向内側は、製品前後方向両端部ではトップシート３０上に固定されているものの、その間の部分は非固定の自由部分であり、この自由部分が弾性部材６３の収縮力により立ち上がり、身体表面に密着するようになる。
【００４２】
（エンドフラップ部、サイドフラップ部）
図示例のテープタイプ使い捨ておむつは、吸収体５６の前側及び後側にそれぞれ延出する、吸収体５６を有しない一対のエンドフラップ部ＥＦと、吸収体５６の両方の側縁よりも側方にそれぞれ延出する、吸収体５６を有しない一対のサイドフラップ部ＳＦとを有している。サイドフラップ部ＳＦは、図示例のように、吸収体５６を有する部分から連続する素材（外装不織布１２等）からなるものであっても、他の素材を取り付けて形成してもよい。
【００４３】
（平面ギャザー）
各サイドフラップ部ＳＦには、糸ゴム等の細長状弾性部材からなるサイド弾性部材６４が前後方向ＬＤに沿って伸長された状態で固定されており、これにより各サイドフラップ部ＳＦの脚周り部分が平面ギャザーとして構成されている。脚周り弾性部材６４は、図示例のように、ギャザーシート６２の接合部分のうち接合始端近傍の幅方向外側において、ギャザーシート６２と液不透過性シート１１との間に設けるほか、サイドフラップ部ＳＦにおける液不透過性シート１１と外装不織布１２との間に設けることもできる。脚周り弾性部材６４は、図示例のように各側で複数本設ける他、各側に１本のみ設けることもできる。
【００４４】
平面ギャザーは、サイド弾性部材６４の収縮力が作用する部分（図中ではサイド弾性部材６４が図示された部分）である。よって、平面ギャザーの部位にのみサイド弾性部材６４が存在する形態の他、平面ギャザーよりも前側、後側又はその両側にわたりサイド弾性部材６４が存在しているが、平面ギャザーの部位以外ではサイド弾性部材が一か所又は多数個所で細かく切断されていたり、サイド弾性部材６４を挟むシートに固定されていなかったり、あるいはその両方であったりすることにより、平面ギャザー以外の部位に収縮力が作用せず（実質的には、弾性部材を設けないことに等しい）に、平面ギャザーの部位にのみサイド弾性部材６４の収縮力が作用する構造も含まれる。
【００４５】
（連結テープ）
背側部分Ｂにおけるサイドフラップ部ＳＦには、腹側部分Ｆの外面に対して着脱可能に連結される連結テープ１３がそれぞれ設けられている。おむつ１０の装着に際しては、連結テープ１３を腰の両側から腹側部分Ｆの外面に回して、連結テープ１３の連結部１３Ａを腹側部分Ｆ外面の適所に連結する。
【００４６】
連結テープ１３の構造は特に限定されないが、図示例では、サイドフラップ部ＳＦに固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する連結部１３Ａとを有し、この連結部１３Ａより先端側が摘み部となっている。
【００４７】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００４８】
また、テープ取付部１３Ｃからテープ本体部１３Ｂまでを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００４９】
（ターゲットシート）
腹側部分Ｆにおける連結テープ１３の連結箇所には、ターゲット部を設けることが好ましい。ターゲット部は、図示例のように、連結を容易にするためのターゲットシート２０を腹側部分Ｆの外面に貼り付けることにより設けることができる。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示例のように外装不織布１２を有する場合には、ターゲットシート２０を省略し、フック材を外装不織布１２の繊維に絡ませて連結することもできる。この場合、目印としてのターゲットシート２０を外装不織布１２と液不透過性シート１１との間に設ける他、外装不織布１２や液不透過性シート１１の外面に目印を印刷してもよい。
【００５０】
（ウイング部分）
本テープタイプ使い捨ておむつは、図１、図２及び図１０に示すように、腹側部分Ｆの前後方向ＬＤの中間から背側部分Ｂの前後方向ＬＤの中間まで延びる股間部Ｍを有している。股間部Ｍの両方の側縁は、前後方向ＬＤに対する鋭角側交差角θ0が±２度未満の方向を中心として、当該中心と直交する方向に±５ｍｍの幅の範囲を通る部分であると好ましい。また、腹側部分Ｆ及び背側部分Ｂは、股間部Ｍよりも幅方向ＷＤ外側に延び出たウイング部分ＷＰを有している。腹側部分Ｆのウイング部分の下縁７０は、股間部Ｍの側縁の前端から前方に向かうにつれて斜め外側に位置するように延びており、背側部分Ｂのウイング部分の下縁７５は、股間部Ｍの側縁の後端から後方に向かうにつれて斜め外側に位置するように延びている。ウイング部分ＷＰの側縁は図示例では直線状となっているが、これに限定されず、公知の他の形状を採用することもできる。股間部Ｍの前後方向ＬＤの寸法は適宜定めることができるが、股間部Ｍの最小幅ＭXの１．２〜１．４倍程度とすることができる。乳幼児用途の場合、股間部Ｍの前後方向ＬＤの寸法ＭYは１０〜３０ｃｍ程度である。
【００５１】
図７（ａ）及び図８（ｂ）に拡大して示すように、腹側部分Ｆのウイング部分ＷＰの下縁７０は、当該ウイング部分ＷＰの基端側に位置する第１部分７１と、当該ウイング部分ＷＰの先端側に位置する第２部分７２とを有している。第１部分７１の少なくとも両端部を除く範囲（好ましくは図示例のように全体）及び第２部分７２の少なくとも両端部を除く範囲（好ましくは図示例のように全体）は、それぞれ、内側に窪む谷部を複数有する波状部分８０となっていることが好ましい。第１部分７１の波状部分８０は、隣り合う谷部８３の両方に接する接線Ｄ１と前後方向ＬＤとのなす鈍角側交差角θ1が１６０〜１７５度（好ましくは１６３〜１７０度）であると好ましい。第２部分７２の波状部分８０は、隣り合う谷部８３の両方に接する接線Ｄ２と前後方向ＬＤとのなす鈍角側交差角θ2が１２０〜１５０度（好ましくは１３０〜１４０度）であると好ましい。
【００５２】
また、第１部分７１の前後方向ＬＤの寸法７１ｙは、股間部Ｍの前後方向ＬＤの寸法ＭYの０．１５〜０．３０倍（好ましくは０．２０〜０．２５倍）であると好ましい。一方、第２部分７２の前後方向ＬＤの寸法７２ｙは、股間部Ｍの前後方向ＬＤの寸法ＭYの０．１０〜０．２５倍（好ましくは０．１５〜０．２０倍）であると好ましい。
【００５３】
ここで、前述のように、波状部分８０は、波の方向が直線的であるか、曲線的であるか、及び全振幅（ピーク・ツー・ピーク）の中心線がどこを通過するか等を問わないものである。もちろん、波状部分８０は、図９に示す例のように、特定の方向８１を中心として一定の振幅８２（±５ｍｍ）で続くものを含むことはいうまでもない。また、波状部分８０は、正弦曲線（例えば図９（ａ）に示す波状部分８０）や円弧（例えば図９（ｂ）に示す波状部分８０）を組み合わせたもの、これらの振幅や波長が波が続く方向に変化するもの、雲形（例えば図９（ｃ）に示す波状部分８０）のように波の底部が尖っている（屈曲）しているもの等、規則的及び不規則な形状の両方を含む。肌触りをよくする観点から、波状部分８０は外側に膨らむ部分の形状が円弧などの丸みを帯びた形状であることが好ましい。図７及び図８に示す例の波状部分８０は円弧を互い違いにつなげて形成したものであり、この場合、円弧の半径は５〜１５ｍｍ程度であることが好ましい。
【００５４】
第１部分７１の波状部分８０と第２部分７２の波状部分８０とは波が連続していても、途切れていてもよい。第１部分７１の波状部分８０と第２部分７２の波状部分８０とが途切れている場合、第１部分７１から第２部分７２へ方向が変化する屈曲部や、腹側部分Ｆのウイング部分ＷＰの下縁７０の両端部は、図示例のように角が取られている形状の他、角がしっかりと残されている形状となっていてもよい。前者の場合、角が丸くとられていることが好ましく、特に角が半径２０〜８０ｍｍ程度の円弧状となっているのは好ましい。
【００５５】
腹側部分Ｆのウイング部分ＷＰの下縁７０における第１部分７１及び第２部分７２、股間部Ｍの側縁、並びに背側部分Ｂのウイング部分ＷＰの下縁７５は、一続きのおむつの側縁を形成する縁部である。各縁部の前後方向ＬＤ寸法に関して、隣り合う縁部の両方が波状部分８０となっている場合、一方の部分と他方の部分との境界は、一方の縁部における、最も他方側に位置する隣り合う谷部８３の両方に接する接線と、他方の縁部における、最も一方側に位置する隣り合う谷部８３の両方に接する接線とのなす内角の二等分線との交点とする。例えば、図８に示すように、第１部分７１及び第２部分７２の境界は、第１部分７１における、最も前側に位置する隣り合う谷部８３の両方に接する接線Ｄ１と、第２部分７２における、最も後側に位置する隣り合う谷部８３の両方に接する接線Ｄ２とのなす内角の二等分線Ｄ４との交点ＢＰとなる。
【００５６】
本テープタイプ使い捨ておむつの腹側部分Ｆでは、ウイング部分の下縁７０が、ウエスト側に向かい十分に深く切れ上がった基端側の第１部分７１を基本とし、そこから横に屈曲して、鼠径部に沿うように十分に延びる第２部分７２を有している。したがって、本テープタイプ使い捨ておむつでは、装着者が大腿部を大きく曲げたとしても、第１部分７１が深く切れ上がっているために、大腿部の上部前面がウイング部分の下縁７０にきつく当たりにくい。したがって、本テープタイプ使い捨ておむつでは、より広範囲の脚周り寸法において、大腿部を曲げたときの、大腿部の上部前面と腹側部分Ｆのウイング部分の下縁７０とのフィット性が良好となる。さらに、第１部分７１の少なくとも両端部を除く範囲及び第２部分７２の少なくとも両端部を除く範囲が波状部分８０となっていると、波状部分において外側に膨らむ張出部分７４（図８に点模様で示す部分）の折れ曲がり変形の度合いに応じて、ウイング部分ＷＰの下縁７０の位置が変化可能となる。そして、この張出部分７４は身体表面との接触により変形するため、張出部分７４の折れ曲がり変形の度合いは、身体寸法の違いや大腿部の曲げの程度等により決まる。つまり、張出部分７４が身体寸法の違いや大腿部の曲げの程度等に応じて変形し、身体表面にフィットする。特に大腿部を大きく曲げたときに、第１部分７１及び第２部分７２の張出部分７４が折れ曲がり、第１部分７１及び第２部分７２と大腿部との摩擦や当たりを軽減することができる。しかも、単にウイング部分ＷＰの下側のスペースが拡大するのではなく、張出部分７４により最大限広い範囲が被覆される。このため、身体寸法の違いや大腿部の曲げに対してフィットしやすい割には、脚周りからの漏れに対する不安を感じるおそれも少ないものとなる。これらの観点から、第１部分７１は張出部分７４を２〜５個程度有することが好ましい。また、第２部分７２は張出部分７４を２〜５個程度有することが好ましい。
【００５７】
第１部分７１の波状部分８０及び第２部分７２の波状部分８０の寸法は適宜定めることができるが、通常の場合、全振幅８２の最大値が３〜１０ｍｍであり、波長８５が１０〜２０ｍｍであることが好ましい。特に、波状部分８０の全振幅８２が大き過ぎると、張出部分７４がおむつの表面と肌との間に折り込まれ、漏れや装着感の悪化につながるおそれがある。
【００５８】
股間部Ｍの両方の側縁７３は、少なくとも両端部を除く範囲が図１０に示す例のようにウイング部分ＷＰの下縁７５と同様の波状部分８０となっていてもよい。しかし、股間部Ｍは脚の動きの影響を受けやすい。このため、股間部Ｍの両方の側縁７３が波状部分８０となっていると、張出部分７４がおむつの表面と肌との間に折り込まれ、漏れや装着感の悪化につながるおそれがある。よって、股間部Ｍの両方の側縁７３は、ウイング部分ＷＰの下縁７０と異なり、図２に示す例のように、前方に向かって１〜２度斜め内側に傾斜した方向に直線状に延びていると好ましい。このように、股間部Ｍの幅が前方に向かうにつれて狭くなると、大腿部が前方に移動しやすくなるため、大腿部を曲げたときの、大腿部の上部前面と腹側部分Ｆのウイング部分の下縁７０とのフィット性が、より良好となる。
【００５９】
前述のような第１部分７１及び第２部分７２を有するウイング部分ＷＰは、それ以外の部分と別の部材により形成することもできる。しかし、図示例のようにサイドフラップ部ＳＦを有する構造において、サイドフラップ部ＳＦの側部における前後方向ＬＤ中間を切断することにより、股間部Ｍの側縁からウイング部分の下縁７０までの脚周り縁が形成されていると、製造が容易であるため好ましい。
【００６０】
また、図示例のように、サイドフラップ部ＳＦにおける腹側部分Ｆのウイング部分ＷＰよりも幅方向ＷＤ中央側に、サイド弾性部材６４が設けられるとともに、このサイド弾性部材６４により前後方向ＬＤに収縮した平面ギャザーが設けられており、サイド弾性部材６４の収縮力が作用する前後方向範囲（図示例ではサイド弾性部材６４を有する部分の前後方向ＬＤの範囲）が、第１部分７１の前後方向範囲の少なくとも一部（特に好ましくは全部）と重なった重なり範囲７７を有しており、自然長の状態で、第１部分７１はサイド弾性部材６４により収縮した部分を有していると好ましい。これにより、平面ギャザーとともに、第１部分７１を有する部分も前後方向ＬＤにある程度伸縮可能となるため、より広範囲の脚周り寸法において、大腿部を曲げたときの、大腿部の上部前面と腹側部分Ｆのウイング部分の下縁７０とのフィット性が良好となる。図示例と異なり、サイド弾性部材６４が第２部分７２の前後方向ＬＤ範囲の少なくとも一部（特に好ましくは全部）と重なる位置まで延びることにより、重なり範囲７７が第１部分７１の波状部分８０の全体にわたっていてもよい。
【００６１】
このような重なり範囲７７を有している場合、平面ギャザーの最大伸びは１５０〜３５０％（より好ましくは２００〜３００％）であり、重なり範囲７７における、サイド弾性部材６４と第１部分７１との幅方向間隔６４ｉ，６４ｊは、最大６４ｊが１５〜５０ｍｍ（より好ましくは１８〜２５ｍｍ）で、かつ最小６４ｉが５〜２０ｍｍ（より好ましくは１０〜１７ｍｍ）であると好ましい。第１部分７１とサイド弾性部材６４との距離、及び平面ギャザーの最大伸びが本範囲内であると、第１部分７１に、厚み方向に緩やかに波打つ、美感に優れたフリルが形成されるため好ましい。特に、このようなフリルが第１部分７１の形状と組み合わさると、フリルの美感がさらに向上するという利点ももたらされる。これに対して、第１部分７１とサイド弾性部材６４との距離が近過ぎたり、平面ギャザーの最大伸びが大き過ぎたりすると、フリルの波が細かくなることによりフリルらしさが少なくなるだけでなく、肌触りが硬くなるおそれがある。また、第１部分７１とサイド弾性部材６４との距離が遠過ぎると、張出部分７４がおむつの表面と肌との間に折り込まれ、漏れや装着感の悪化につながるおそれもある。一方、第１部分７１とサイド弾性部材６４との距離が遠過ぎたり、平面ギャザーの最大伸びが小さ過ぎたりすると、フリルの形成が不十分となるおそれがある。なお、最大伸びとは、前述のように、伸縮方向の伸びの最大値（換言すれば平面ギャザーが収縮や弛み無く平坦に展開した展開状態の伸び）を意味し、展開状態の長さを自然長を１００％としたときの百分率で表したものである。
【００６２】
他方、通常、大腿部の後方への曲げ角度は小さい。背側部分Ｂのウイング部分ＷＰは臀部を広く覆うことが好ましい。このため、背側部分Ｂのウイング部分ＷＰの下縁７５は、腹側部分Ｆのウイング部分ＷＰとは異なり、股間部Ｍの後端から大きく横に屈曲して延びる（前後非対称）ことが好ましい。また、腹側部分Ｆのウイング部分ＷＰと同様に、背側部分Ｂのウイング部分ＷＰの下縁７５における、少なくとも両端部を除く範囲（好ましくは図示例のように全体）が、内側に窪む谷部を複数有する波状部分８０となっていることが好ましい。具体的には、図７（ｂ）及び図８（ａ）に示すように、背側部分Ｂのウイング部分ＷＰの下縁７５における波状部分８０は、隣り合う谷部８３の両方に接する接線Ｄ３と前後方向とのなす鈍角側交差角θ3が１２０〜１５０度であり、背側部分Ｂのウイング部分ＷＰの下縁７５の前後方向ＬＤの寸法は、股間部Ｍの前後方向ＬＤの寸法ＭYの０．２〜０．３倍であると好ましい。
【００６３】
背側部分Ｂのウイング部分ＷＰの下縁７５も波状部分８０となっていることにより、腹側部分Ｆのウイング部分の下縁７０と同様の利点を有するものとなる。すなわち、背側部分Ｂにおいても、張出部分７４（波の幅に相当する部分）の折れ曲がり変形の度合いに応じて、ウイング部分の下縁７５の位置が変化可能となる。そして、この張出部分７４は身体表面との接触により変形するため、張出部分７４の折れ曲がり変形の度合いは、身体寸法の違いや大腿部の曲げの程度等により決まる。つまり、張出部分７４が身体寸法の違いや大腿部の曲げの程度等に応じて変形し、身体表面にフィットする。特に大腿部を大きく曲げたときに、張出部分７４が折れ曲がり、下縁７５と大腿部との摩擦や当たりを軽減することができる。しかも、単にウイング部分ＷＰの下側のスペースが拡大するのではなく、張出部分７４により最大限広い範囲が被覆される。このため、身体寸法の違いや大腿部の曲げに対してフィットしやすい割には、脚周りからの漏れに対する不安を感じるおそれも少ないものとなる。これらの観点から、背側部分Ｂのウイング部分ＷＰの下縁７５は張出部分７４を２〜５個程度有することが好ましい。背側部分Ｂのウイング部分ＷＰの下縁７５における波状部分８０の寸法は適宜定めることができるが、通常の場合、全振幅８２の最大値が３〜１０ｍｍであり、波長８５が１０〜２０ｍｍであることが好ましい。特に、波状部分８０の全振幅８２が大き過ぎると、張出部分７４がおむつの表面と肌との間に折り込まれ、漏れや装着感の悪化につながるおそれがある。
【００６４】
また、図示例のように、サイド弾性部材６４の収縮力が作用する前後方向範囲（図示例ではサイド弾性部材６４を有する部分の前後方向ＬＤの範囲）が、背側部分Ｂのウイング部分ＷＰの下縁７５の前後方向範囲の少なくとも一部（特に好ましくは全部）と重なった重なり範囲７７を有していると好ましい。この場合における、平面ギャザーの最大伸び、並びに重なり範囲７７における、背側部分Ｂのウイング部分ＷＰの下縁７５とサイド弾性部材６４との幅方向間隔６４ｉ，６４ｊは、前述の腹側部分の場合と同様である。このような構造による利点も、腹側部分Ｆの場合と基本的に同様である。
【００６５】
図示例では、腹側部分Ｆ及び背側部分Ｂの両方が前述の重なり範囲７７を有しているが、いずれか一方のみ重なり範囲７７を有しており、他方は重なり範囲７７を有しない、又は重なり範囲７７を有するものの、前述の間隔６４ｉ，６４ｊ等の条件を満たさないものとすることもできる。
【００６６】
さらに、前述の重なり範囲７７を有している場合、波状部分８０は、股間部Ｍ側に近づくにつれて全振幅が段階的又は連続的に大きくなっていると波状部分８０の形状が目立たちやすくなるため好ましい。ウイング部分ＷＰの下縁７０，７５は、前方に向かうにつれて斜め外側に位置するように延びているため、重なり範囲７７における波状部分８０とサイド弾性部材６４との幅方向ＷＤ間隔は股間部Ｍ側に近づくにつれて短くなり、波状部分８０に形成されるフリルは細かくなる。ここで、波状部分８０の全振幅が小さいと、波状部分８０の形状が目立たなくなりやすい。
【００６７】
＜その他＞
上記例では、腹側部分Ｆ及び背側部分Ｂの両方におけるウイング部分ＷＰの下縁７０，７５が波状部分８０を有しているが、いずれか一方のみ波状部分８０を有しており、他方は公知の他の形状とすることもできる。
【００６８】
上記例では、腹側部分Ｆのウイング部分ＷＰの下縁７０は、第１部分７１及び第２部分７２を有しているが、腹側部分Ｆのウイング部分ＷＰの下縁７０の形状や角度は特に限定されず、公知の他の形状とすることもできる。また、図示例の第２部分７２は山部（隣り合う谷部８３の間）を一つしか有していないが、第１部分７１の山部と合わせて複数有するものとなっている。このように、波状部分８０はウイング部分ＷＰの下縁７０，７５全体において外側に膨らむ山部を複数有していればよい。
【００６９】
＜明細書中の用語の説明＞
明細書中の以下の用語は、明細書中に特に記載が無い限り、以下の意味を有するものである。
・「前後方向」とは図中に符号ＬＤで示す方向（縦方向）を意味し、「幅方向」とは図中にＷＤで示す方向（左右方向）を意味し、前後方向と幅方向とは直交するものである。
【００７０】
・「曲線」とは、直線を含まない意味である。
【００７１】
・「展開状態」とは、収縮や弛み無く平坦に展開した状態を意味する。
【００７２】
・「伸長率」は、自然長を１００％としたときの値を意味する。例えば、伸長率が２００％とは、伸長倍率が２倍であることと同義である。
【００７３】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００７４】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００７５】
・「厚み」は、自動厚み測定器（ＫＥＳ−Ｇ５  ハンディー圧縮試験機）を用い、荷重：０．０９８Ｎ／ｃｍ2、及び加圧面積：２ｃｍ2の条件下で自動測定する。
【００７６】
・「吸水量」は、ＪＩＳ  Ｋ７２２３−１９９６「高吸水性樹脂の吸水量試験方法」によって測定する。
【００７７】
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００７８】
・試験や測定における環境条件についての記載が無い場合、その試験や測定は、標準状態（試験場所は、温度２３±１℃、相対湿度５０±２％）の試験室又は装置内で行うものとする。
【００７９】
・各部の寸法は、特に記載が無い限り、自然長状態ではなく展開状態における寸法を意味する。
【産業上の利用可能性】
【００８０】
本発明は、上記例のようなテープタイプ使い捨ておむつに適用できるものである。
【符号の説明】
【００８１】
１１…液不透過性シート、１２…外装不織布、１３…連結テープ、１３Ａ…連結部、１３Ｂ…テープ本体部、１３Ｃ…テープ取付部、２０…ターゲットシート、３０…トップシート、４０…中間シート、５０…吸収要素、５６…吸収体、５８…包装シート、６０…起き上がりギャザー、６２…ギャザーシート、６４…サイド弾性部材、７０，７５…下縁、７１…第１部分、７２…第２部分、７４…張出部分、７７…重なり範囲、８０…波状部分、８３…谷部、Ｂ…背側部分、Ｆ…腹側部分、ＬＤ…前後方向、Ｍ…股間部、ＳＦ…サイドフラップ部、ＷＤ…幅方向、ＷＰ…ウイング部分。
【手続補正２】
【補正対象書類名】特許請求の範囲
【補正対象項目名】全文
【補正方法】変更
【補正の内容】
【特許請求の範囲】
【請求項１】
前後方向中央より前側に延びる腹側部分と、前後方向中央より後側に延びる背側部分と、前記腹側部分と前記背側部分との間の股間部と、を有し、
前記股間部を含む範囲に内蔵された吸収体を有し、
前記腹側部分及び前記背側部分は、その側縁が、前記股間部の側縁よりも幅方向外側に延び出たウイング部分を有し、
前記背側部分の両側部に、前記腹側部分とを着脱可能に連結するための連結テープを有する、
テープタイプ使い捨ておむつにおいて、
前記腹側部分の前記ウイング部分の下縁は、それぞれ、前方に向かうにつれて斜め外側に位置するように延びており、
前記背側部分の前記ウイング部分の下縁は、それぞれ、後方に向かうにつれて斜め外側に位置するように延びており、
前記腹側部分及び前記背側部分の少なくとも一方における前記ウイング部分の下縁は、外側に膨らむ山部を複数有する波状部分を有しており、
前記腹側部分から前記背側部分にかけての幅方向両側に、吸収体を有しないサイドフラップ部を有し、
前記サイドフラップ部における前記ウイング部分よりも幅方向中央側に、サイド弾性部材が前後方向に設けられるとともに、このサイド弾性部材により前後方向に収縮した平面ギャザーが形成されており、
前記サイド弾性部材の収縮力が作用する前後方向範囲と、前記波状部分の前後方向範囲の少なくとも一部とが重なった重なり範囲を有しており、
前記平面ギャザーの最大伸びは１５０〜３５０％であり、
前記重なり範囲における、前記サイド弾性部材と前記波状部分との幅方向間隔は、最大が１８〜２５ｍｍで、かつ最小が１０〜１７ｍｍであり、
前記波状部分は、それぞれ全振幅の最大値が３〜１０ｍｍであり、波長が１０〜２０ｍｍであり、
前記股間部の側縁は前後方向に直線状に延びている、
ことを特徴とするテープタイプ使い捨ておむつ。
【請求項２】
前後方向中央より前側に延びる腹側部分と、前後方向中央より後側に延びる背側部分と、前記腹側部分と前記背側部分との間の股間部と、を有し、
前記股間部を含む範囲に内蔵された吸収体を有し、
前記腹側部分及び前記背側部分は、その側縁が、前記股間部の側縁よりも幅方向外側に延び出たウイング部分を有し、
前記背側部分の両側部に、前記腹側部分とを着脱可能に連結するための連結テープを有する、
テープタイプ使い捨ておむつにおいて、
前記腹側部分の前記ウイング部分の下縁は、それぞれ、前方に向かうにつれて斜め外側に位置するように延びており、
前記背側部分の前記ウイング部分の下縁は、それぞれ、後方に向かうにつれて斜め外側に位置するように延びており、
前記腹側部分及び前記背側部分の少なくとも一方における前記ウイング部分の下縁は、外側に膨らむ山部を複数有する波状部分を有しており、
前記腹側部分から前記背側部分にかけての幅方向両側に、吸収体を有しないサイドフラップ部を有し、
前記サイドフラップ部における前記ウイング部分よりも幅方向中央側に、サイド弾性部材が前後方向に設けられるとともに、このサイド弾性部材により前後方向に収縮した平面ギャザーが形成されており、
前記サイド弾性部材の収縮力が作用する前後方向範囲と、前記波状部分の前後方向範囲の少なくとも一部とが重なった重なり範囲を有しており、
前記平面ギャザーの最大伸びは１５０〜３５０％であり、
前記重なり範囲における、前記サイド弾性部材と前記波状部分との幅方向間隔は、最大が１８〜２５ｍｍで、かつ最小が１０〜１７ｍｍであり、
前記波状部分は、それぞれ全振幅の最大値が３〜１０ｍｍであり、波長が１０〜２０ｍｍであり、
前記波状部分は、前記股間部側に近づくにつれて全振幅が段階的又は連続的に大きくなっており、
前記股間部の側縁は前後方向に直線状に延びている、
ことを特徴とするテープタイプ使い捨ておむつ。
【請求項３】
前記股間部の両方の側縁は、前方に向かって１〜２度斜め内側に傾斜した方向に直線状に延びている、請求項１又は２記載のテープタイプ使い捨ておむつ。